(57)【要約】      （修正有）【課題】大きな風量を得ることが出来るモータユニットの提供。【解決手段】モータユニット１は、上下方向に延びる中心軸Ｃに沿って配置されるシャフト１１０を有するモータ１１と、前記モータを保持するハウジング１５と、前記シャフトに取り付けられた軸流ファン１２と、前記軸流ファンと上下方向に対向する静翼１６と、を有する。前記ハウジングは、前記モータよりも径方向外方に位置する環状部１５０と、前記環状部から上側に突出し、前記モータを囲んで前記モータを支持する支持部１５１と、を有する。前記静翼は、前記環状部から径方向成分を含む方向に延びる。【選択図】図４
2018137934.tif 000002
【特許請求の範囲】
【請求項１】
モータユニットであって、
上下方向に延びる中心軸に沿って配置されるシャフトを有するモータと、
前記モータを保持するハウジングと、
前記シャフトに取り付けられた軸流ファンと、
前記軸流ファンと上下方向に対向する静翼と、
を有し、
前記ハウジングは、
前記モータよりも径方向外方に位置する環状部と、
前記環状部から上側に突出し、前記モータを囲んで前記モータを支持する支持部と、
を有し、
前記静翼は、前記環状部から径方向成分を含む方向に延びる、モータユニット。
【請求項２】
前記環状部と前記静翼とは単一の部材である、請求項１に記載のモータユニット。
【請求項３】
前記支持部は、
前記モータの径方向外方に位置する筒状部と、
前記筒状部の上端側に位置する天面部と、
を有し、
前記筒状部は、前記モータの外周面の径方向外方にて開口する開口部を有する、請求項１又は２に記載のモータユニット。
【請求項４】
前記開口部は複数設けられ、
複数の前記開口部は、周方向に間隔をあけて配置される、請求項３に記載のモータユニット。
【請求項５】
前記筒状部は、複数の前記開口部によって周方向に分離した複数の壁部で構成され、
前記壁部の数は、２より大きな素数である、請求項４に記載のモータユニット。
【請求項６】
前記モータは、上部において上側に延びる第１の凸部を有し、
前記天面部は、上下方向に貫通する第１の孔部を有し、
前記第１の凸部は、第１の弾性部を介して、前記第１の孔部に取り付けられている、請求項３から５のいずれか１項に記載のモータユニット。
【請求項７】
前記第１の弾性部の周囲又は一部には、第１の逃げ部が設けられ、
前記第１の逃げ部は、前記第１の弾性部の一部が露出する第１の露出部を含む、請求項６に記載のモータユニット。
【請求項８】
前記第１の逃げ部は、前記第１の弾性部の上面に面する空間である、請求項７に記載のモータユニット。
【請求項９】
前記モータは、
導線と、
前記導線を通すブッシングと、
を更に有し、
前記ブッシングは、前記モータの外周と前記開口部とが対向する位置に配置されている、請求項３から８のいずれか１項に記載のモータユニット。
【請求項１０】
前記モータは、
導線と、
前記導線を通すブッシングと、
を更に有し、
前記環状部は、内周面に径方向に凹む切り欠き部を有し、
前記ブッシングは、軸方向からの平面視において、前記切り欠き部に対向する位置に配置されている、請求項１から８のいずれか１項に記載のモータユニット。
【請求項１１】
前記モータは、
導線と、
前記導線を通すブッシングと、
を更に有し、
前記ブッシングから引き出された前記導線は、軸方向からの平面視において、前記静翼と重なる位置に配置される、請求項１から８のいずれか１項に記載のモータユニット。
【請求項１２】
前記静翼は、上下方向に窪む溝部を有し、
前記導線は前記溝部に配線されている、請求項１２に記載のモータユニット。
【請求項１３】
前記モータは、
導線と、
前記導線を通すブッシングと、
を更に有し、
前記軸流ファンは、
有底筒状のファンボスと、
前記ファンボスから径方向成分を含む方向に延びる羽根と、
を有し、
前記ブッシングは、前記ファンボスの下端より下側に設けられている、請求項１から８のいずれか１項に記載のモータユニット。
【請求項１４】
前記軸流ファンは羽根を有し、
前記静翼の数と前記羽根の数とは互いに素である、請求項１から１２のいずれか１項に記載のモータユニット。
【請求項１５】
前記モータの下側に配置され、前記ハウジングに支持されるブラケットを更に有する、請求項１から１４のいずれか１項に記載のモータユニット。
【請求項１６】
前記モータは、下部において下側に延びる第２の凸部を有し、
前記ブラケットは、上下方向に貫通する第２の孔部、又は、下方に凹む凹部を有し、
前記第２の凸部は、第２の弾性部を介して、前記第２の孔部又は凹部に取り付けられている、請求項１５に記載のモータユニット。
【請求項１７】
前記第２の弾性部の周囲又は一部には、第２の逃げ部が設けられ、
前記第２の逃げ部は、前記第２の弾性部の一部が露出する第２の露出部を含む、請求項１６に記載のモータユニット。
【請求項１８】
前記第２の逃げ部は、前記第２の弾性部の下面に面する空間である、請求項１７に記載のモータユニット。
【請求項１９】
前記モータは外周面から突出するフランジ部を有し、
前記フランジ部は、前記ハウジングに固定されている、請求項１から１４のいずれか１項に記載のモータユニット。
【請求項２０】
前記フランジ部と前記ハウジングとの間に第３の弾性部が配置されている、請求項１９に記載のモータユニット。
【発明の詳細な説明】
【技術分野】
【０００１】
本発明はモータユニットに関する。
【背景技術】
【０００２】
特開２０００−１４６２１９号公報には、空気調和機に内蔵される換気装置が開示される。この換気装置は、外箱と、ファンと、フランジ部と、電動機と、電動機取付具とを備える。外箱は、吸排気口を有し、風路を形成する。ファンは、外箱内に収納され、中央部に空洞部を有する。フランジ部は、外箱に設けられ、空洞部の周囲を沿うように形成される。ファンを駆動する電動機は、空洞部内にフランジ部を介して配置され、一方の軸受部が防振ゴムを介してフランジ部に固定される。電動機取付具は、電動機の他方の軸受部を防振ゴムを介して外箱に固定する。
【先行技術文献】
【特許文献】
【０００３】
【特許文献１】特開２０００−１４６２１９号公報
【発明の概要】
【発明が解決しようとする課題】
【０００４】
特開２０００−１４６２１９号公報に開示される換気装置において、外箱の吸排気口は吸排気ダクトに接続される。また、特開２０００−１４６２１９号公報に開示される換気装置が備えるファンは、渦流ファン又はシロッコファンとされている。特開２０００−１４６２１９号公報に開示される換気装置より大きな風量が必要となる場合、ファンの種類変更等、装置の改良が必要となる可能性がある。
【０００５】
本発明の目的は、大きな風量を得ることができるモータユニットを提供することである。
【課題を解決するための手段】
【０００６】
本発明の例示的なモータユニットは、上下方向に延びる中心軸に沿って配置されるシャフトを有するモータと、前記モータを保持するハウジングと、前記シャフトに取り付けられた軸流ファンと、 前記軸流ファンと上下方向に対向する静翼と、を有する。前記ハウ
ジングは、前記モータよりも径方向外方に位置する環状部と、前記環状部から上側に突出し、前記モータを囲んで前記モータを支持する支持部と、を有する。前記静翼は、前記環状部から径方向成分を含む方向に延びる。
【発明の効果】
【０００７】
例示的な本発明によれば、大きな風量を得ることができるモータユニットを提供することができる。
【図面の簡単な説明】
【０００８】
【図１】図１は、本発明の実施形態に係るモータユニットの正面図である。
【図２】図２は、本発明の実施形態に係るモータユニットの背面図である。
【図３】図３は、本発明の実施形態に係るモータユニットの側面図である。
【図４】図４は、図１のＡ−Ａ位置における断面図である。
【図５】図５は、ハウジング及びその周辺の構成を示す斜視図である。
【図６】図６は、ブラケットの構成を示す斜視図である。
【図７】図７は、モータの取付構造を説明するための断面図である。
【図８】図８は、モータと、ハウジング及び静翼を含むケーシングとの関係を説明するための平面図である。
【図９】図９は、導線と静翼との関係を説明するための模式図である。
【図１０】図１０は、軸流ファンの構成を示す斜視図である。
【図１１】図１１は、ファンボスとブッシングとの関係を示す模式図である。
【図１２】図１２は、本発明の実施形態に係るモータユニットの変形例を説明するための模式図である。
【発明を実施するための形態】
【０００９】
以下、本発明の例示的な実施形態について、図面を参照しながら詳細に説明する。本明細書では、図４に示すモータの中心軸Ｃの延びる方向を単に「軸方向」と呼び、モータの中心軸Ｃを中心とする径方向及び周方向を単に「径方向」及び「周方向」と呼ぶことにする。本明細書では、図４に示す方向にモータを配置した場合の軸方向を上下方向と定義する。なお、上下方向は単に説明のための用いられる名称であって、実際の位置関係や方向を限定しない。
【００１０】
＜１．モータユニットの概要＞
まず、例示的な本発明のモータユニットの概要について説明する。図１は、本発明の実施形態に係るモータユニット１の正面図である。図２は、本発明の実施形態に係るモータユニット１の背面図である。図３は、本発明の実施形態に係るモータユニット１の側面図である。図４は、図１のＡ−Ａ位置における断面図である。
【００１１】
図１から図４に示すように、モータユニット１はケーシング１０を有する。詳細には、ケーシング１０は直方体状である。ケーシング１０は、軸方向に延びる貫通孔１０１を有する。詳細には、貫通孔１０１は、軸方向からの平面視において円形状である。貫通孔１０１は、ケーシング１０の中央部を含む広範囲を占める。ケーシング１０は、軸方向からの平面視において、四隅がＲ形状とされることが好ましい。ケーシング１０は、例えば樹脂等よって形成される。
【００１２】
モータユニット１はモータ１１を有する。詳細には、モータ１１は貫通孔１０１内に配置される。モータ１１の中心軸Ｃは、貫通孔１０１の中心と一致する。モータ１１は、上下方向に延びる中心軸Ｃに沿って配置されるシャフト１１０を有する。本実施形態では、モータ１１はインナーロータ型のモータである。シャフト１１０は、不図示のロータに固定され、中心軸Ｃを中心として回転する。シャフト１１０の先端部は、貫通孔１０１の一端側から外部に突出する。モータ１１は、インナーロータ型のモータに限らずアウターロータ型のモータであってもよい。シャフト１１０は、固定されて回転しない構成であってもよい。この場合、後述の軸流ファンはシャフト１１０に対して回転可能に取り付けられればよい。
【００１３】
モータユニット１は軸流ファン１２を有する。軸流ファン１２はシャフト１１０に取り付けられる。本実施形態では、軸流ファン１２は、シャフト１１０の回転によって回転する。モータ１１を駆動して軸流ファン１２を回転させることによって、軸方向に風の流れを生じさせることができる。軸流ファン１２は例えば樹脂等によって形成される。
【００１４】
本実施形態においては、軸流ファン１２は、シャフト１１０の径方向外方に配置される取付部１３を介してシャフト１１０に取り付けられる。詳細には、取付部１３は、シャフト１１０の上側の先端部に取り付けられる。軸流ファン１２の一部は、貫通孔１０１の一端側から外部に突出する。本実施形態では、取付部１３は、金属製の第１取付部材１３０と、ゴム部材１３１と、金属製の第２取付部材１３２とを有する。
【００１５】
環状の第１取付部材１３０はシャフト１１０に直接固定される。環状のゴム部材１３１は、第１取付部材１３０の径方向外方に配置され、第１取付部材１３０に取り付けられる。環状の第２取付部材１３２は、ゴム部材１３１の径方向外方に配置され、ゴム部材１３１に取り付けられる。すなわち、第１取付部材１３０と第２取付部材１３２とはゴム部材１３１を介して接続される。ゴム部材１３１は、モータ１１から伝わる振動を吸収し、モータ１１と軸流ファン１２の共振を防止する。軸流ファン１２は、第２取付部材１３２にネジ止めされる。
【００１６】
なお、軸流ファン１２は、第２取付部材１３２にインサート成形によって取り付けられてもよい。また、軸流ファン１２と第２取付部材１３２とのうちの一方に凸部、他方に凹部を設け、凸部と凹部との組み合わせによって軸流ファン１２と第２取付部材１３２とが接続される構成としてもよい。取付部１３は、複数の部材で構成してもよいが、１つの部材で構成してもよい。また、場合によっては、軸流ファン１２は、取付部１３を介することなく、シャフト１１０に直接取り付けられてもよい。
【００１７】
モータユニット１はカバー部１４を有する。カバー部１４は、ケーシング１０の貫通孔１０１の他端側を覆う。すなわち、カバー部１４は、モータ１１から見て、軸流ファン１２と反端側に配置される。カバー部１４は通気孔１４０を有する。カバー部１４は例えば樹脂によって形成される。
【００１８】
本実施形態では、カバー部１４は円形状である。カバー部１４は、円形状以外の形状であってもよい。カバー部１４は、詳細には、外周を構成する円環部１４１と、円環部１４１内に格子状に配置される複数のリブ１４２と、を有する。円環部１４１がケーシング１０にネジ止めされることによって、カバー部１４はケーシング１０に固定される。なお、カバー部１４とケーシング１０との間には、例えばカバー部１４と後述の静翼との間に一定の距離を発生させる目的で、スペーサが配置されてもよい。
【００１９】
通気孔１４０は、複数のリブ１４２の間に形成され、通気孔１４０の数は複数である。複数のリブ１４２は、格子状以外のパターンで配置されてもよい。例えば、複数のリブはハニカム状に配置されてよい。複数のリブ１４２の配置パターンを変更することで、通気孔１４０の形状を変えることができる。複数のリブ１４２によって、人の手指が誤って貫通孔１０１内に入ることを防止できる。複数のリブ１４２によって、外部から貫通孔１０１内に異物が進入することを防止できる。
【００２０】
なお、カバー部１４は、ネジ止め以外の方法でケーシング１０に固定されてよい。例えば、カバー部１４とケーシング１０とのうちの一方に凸部、他方に凹部を設け、凸部と凹部との嵌め合せを利用して、カバー部１４がケーシング１０に固定されてよい。
【００２１】
図３に示すように、モータユニット１においては、軸流ファン１２が回転すると、貫通孔１０１の一方側から他方側に空気が流れる。本実施形態では、軸流ファン１２側が空気の吸込み側になり、カバー部１４側が空気の吐出し側になる。なお、図３の矢印Ｂは、軸流ファン１２の回転によって生じる風の向きを示す。モータユニット１は、例えば空気調和機の室内機に適用することができる。この場合、モータユニット１は、軸流ファン１２側が壁側に、カバー部１４側が部屋の内側に向く向きで、室内機内に配置される。
【００２２】
＜２．モータユニットの詳細＞
図４に示すように、モータユニット１は、モータ１１を保持するハウジング１５を有する。ハウジング１５は、貫通孔１０１内に配置され、モータ１１を囲む。図５は、ハウジング１５及びその周辺の構成を示す斜視図である。図５に示すように、ハウジング１５は、環状部１５０と支持部１５１とを有する。
【００２３】
環状部１５０は、モータ１１より径方向外方に位置する。本実施形態では、環状部１５０は円環状である。環状部１５０の中心は中心軸Ｃと一致する。図４に示すように、環状部１５は、カバー部１４より上側に位置する。環状部１５は、モータ１１の下方側の外周を囲む。
【００２４】
支持部１５１は、環状部１５０から上側に突出する。支持部１５１は、モータ１１を囲んでモータ１１を支持する。支持部１５１と環状部１５０とは、別部材でもよいが、単一部材であることが好ましい。単一部材とすることによって、モータユニット１の部品点数を削減することができる。支持部１５１と環状部１５０とは、例えば樹脂によって形成することができる。
【００２５】
詳細には、支持部１５１は、筒状部１５１０と天面部１５１１とを有する。筒状部１５１０は、モータ１１の径方向外方に位置する。本実施形態では、筒状部１５１０は、環状部１５０の上面から上方に延びる。筒状部１５１０は円環状である。筒状部１５１０は、シャフト１１０を除いたモータ１１の上方まで延びる。
【００２６】
筒状部１５１０は、モータ１１の外周面の径方向外方にて開口する開口部１５１０ａを有する。すなわち、筒状部１５１０は、モータ１１の外周面の一部をハウジング１５の外部に露出させて、モータ１１を囲む。本実施形態では、開口部１５１０ａは径方向からの平面視において略矩形状である。開口部１５１０ａによって、ハウジング１５の内部に音がこもることを防止して、共振音の発生を抑制することができる。また、開口部１５１０ａによって、モータ１１から発生する熱がハウジング１５内にこもることを抑制することができる。
【００２７】
開口部１５１０ａは複数設けられる。複数の開口部１５１０ａは、周方向に間隔をあけて配置される。本実施形態では、開口部１５１０ａの数は３つである。３つの開口部１５１０ａは互いに同一形状である。３つの開口部１５１０ａは、周方向に等間隔に配置される。ただし、これらは例示であり、複数の開口部１５１０ａの数、形状、配置は適宜変更されてよい。複数の開口部１５１０ａは互いに異なる形状であってもよい。開口部１５１０ａの数を複数とすることによって、熱を複数箇所からハウジング１５の外に逃がすことができる。このために、熱がハウジング１５内に偏ってこもることを防止できる。
【００２８】
筒状部１５１０は、複数の開口部１５１０ａによって周方向に分離した複数の壁部１５１０ｂで構成される。本実施形態では、各開口部１５１０ａは、筒状部１５１０の下端から上端まで延びる。このために、筒状部１５１０は、詳細には、周方向に分離した３つの壁部１５１０ｂで構成される。各壁部１５１０ｂは軸方向からの平面視において円弧状である。３つの壁部１５１０ｂは互いに同一形状である。３つの壁部１５１０ｂは、周方向に等間隔に配置される。
【００２９】
壁部１５１０ｂの数は、２より大きな素数であることが好ましい。本実施形態では、壁部１５１０ｂの数は３つであり、この数は２より大きな素数である。モータ１１の極数は通常偶数である。このために、壁部１５１０ｂの数を２より大きな素数とすると、壁部１５１０ｂの数と、モータ１１の極数とが互いに素となり、モータ１１の駆動時にモータ１１とハウジング１５とが共振を起す可能性を低減することができる。なお、本実施形態では、モータ１１の極数は８極である。ただし、モータ１１の極数は適宜変更されてよい。
【００３０】
天面部１５１１は、筒状部１５１０の上端側に位置する。天面部１５１１は、筒状部１５１０の上側から延び、モータ１１の上面の少なくとも一部を覆う。天面部１５１１は、平板状でもよいが、本実施形態では、外周縁が緩やかに折れ曲がり、下方に向けて延びる
。下方に延びた部分の下端面が筒状部１５１０の上端面と繋がる。
【００３１】
天面部１５１１は、上下方向に貫通する第１の孔部１５１１ａを有する。第１の孔部１５１１ａは、天面部１５１１の中央部に設けられる。本実施形態では、第１の孔部１５１１ａは、軸方向からの平面視において円形状である。第１の孔部１５１１ａの中心は中心軸Ｃと一致する。シャフト１１０は第１の孔部１５１１ａを通ってハウジング１５の上側に突出する。天面部１５１１は、第１の孔部１５１１ａの外周を囲い、上方に延びる突出部１５１１ｂを有する。突出部１５１１ｂは円環状である。
【００３２】
天面部１５１１は、第１の孔部１５１１ａの径方向外方に天面開口部１５１１ｃを有する。天面開口部１５１１ｃは、天面部１５１１の外周の一部が径方向内側に向けて円弧状に凹んだ形状である。本実施形態では、天面開口部１５１１ｃの数は３つである。各天面開口部１５１１ｃは開口部１５１０ａと繋がる。３つの天面開口部１５１１ｃは周方向に等間隔に配置される。天面開口部１５１１ｃは、モータ１１をハウジング１５の外部に露出させる面積を増やし、共振音の発生の抑制、及び、放熱性の向上に寄与することができる。天面開口部１５１１ｃは、場合によっては設けられなくてもよい。
【００３３】
天面部１５１１は、その上面から上側に向けて突出する補強リブ１５１１ｄを有する。本実施形態においては、補強リブ１５１１ｄの数は３つである。各補強リブ１５１１ｄは、２つの天面開口部１５１１ｃの間に配置され、３つの補強リブ１５１１ｄは周方向に等間隔に配置される。各補強リブ１５１１ｄは、突出部１５１１ｂから径方向外方に向けて延びる。詳細には、各補強リブ１５１１ｄは、径方向内側から外側に向けて軸方向の厚みが薄くなるテーパ形状を有する。補強リブ１５１１ｄは、支持部１５１の強度を向上することができる。補強リブ１５１１ｄは、場合によっては設けられなくてもよい。
【００３４】
図４及び図５に示すように、モータユニット１は静翼１６を有する。静翼１６は、軸流ファン１２と上下方向に対向する。詳細には、静翼１６は軸流ファン１２よりも下側に位置する。静翼１６は、環状部１５０から径方向成分を含む方向に延びる。静翼１６は、環状部１５０の外周面から貫通孔１０１の内周面に向けて延びる。静翼１６は、径方向に真っ直ぐ延びるのではなく、径方向に対して斜めに角度を変えながら延びる。静翼１６は、一端部が環状部１５０に接続され、他端部がケーシング１０に接続されている。すなわち、ハウジング１５は、複数の静翼１６を介してケーシング１０に支持される。
【００３５】
静翼１６は複数設けられ、本実施形態では、静翼１６の数は１７である。なお、静翼１６の数は、モータ１１の極数と互いに素となる数であることが好ましい。複数の静翼１６は、同一の形状であり、周方向に等間隔に並ぶ。静翼１６同士の間には通気孔が形成される。静翼１６は、軸流ファン１２の回転よって生じる風の流れを整流する。静翼１６は、軸流ファン１２の回転によって生じる風の風量を向上させることができる。
【００３６】
本実施形態では、環状部１５０と静翼１６とは単一の部材である。このために、モータユニット１の部品点数を低減することができ、例えば組み立て時の作業負担を軽減することができる。静翼１６はケーシング１０とも同一の部材である。すなわち、本実施形態では、ケーシング１０、ハウジング１５、及び、複数の静翼１６は、単一の部材である。ただし、これは例示であり、ケーシング１０、ハウジング１５、及び、複数の静翼１６のうち少なくともいずれか２つは別部材であってよい。
【００３７】
図４に示すように、モータユニット１は、モータ１１の下側に配置され、ハウジング１５に支持されるブラケット１７を有する。本構成によれば、ハウジング１５とブラケット１７とでモータ１１を挟んで固定することができ、モータ１１を強固に固定することができる。ブラケット１７は、例えば樹脂よって形成できる。
【００３８】
図６は、ブラケット１７の構成を示す斜視図である。なお、図６は、ブラケット１７を斜め下方から見た図である。ブラケット１７は、上下方向に貫通する第２の孔部１７０、又は、下方に凹む凹部を有する。本実施形態では、ブラケット１７は第２の孔部１７０を有する。詳細には、ブラケット１７は、第２の孔部１７０を有する円筒状の本体部１７１を有する。第２の孔部１７０の中心は中心軸Ｃと一致する。なお、第２の孔部１７０の代わりに設けられる凹部は、本体部１７１の上端から下方に向けて延びる構成であってよい。凹部は、軸方向からの平面視において円形状であってよい。ブラケット１７は、本体部１７１から径方向外方に向けて放射状に延びる複数の脚部１７２を有する。複数の脚部１７２は、周方向に等間隔に配置される。
【００３９】
本実施形態では、脚部１７２の数は３つであるが、その数は適宜変更されてよい。ただし、脚部１７２の数は、モータ１１の極数と互いに素となる数であることが好ましい。これにより、モータ１１の駆動時にモータ１１とブラケット１７とが共振を起す可能性を低減することができる。各脚部１７２は、径方向の先端部に、径方向に凹むネジ用凹部１７３を有する。各脚部１７２は、ネジ用凹部１７３に替えて、軸方向に貫通する孔部を有してもよい。図４に示すように、ネジ用凹部１７３には、ブラケット１７をハウジング１５に固定するネジ１８が取り付けられる。ハウジング１５はネジ孔を有し、ブラケット１７とハウジング１５とは、ネジ１８によってネジ止めされる。各脚部１７２は、詳細には、径方向内側から外側に向けて軸方向の厚みが薄くなるテーパ形状を有する。これにより、ブラケット１７をハウジング１５に対して固定するネジ１８の長さを短くすることができ、モータユニット１の薄型化を図り易くできる。
【００４０】
なお、本実施形態では、ブラケット１７はネジ１８によってハウジング１５に固定されているが、これは例示にすぎない。例えば、ブラケット１７とハウジング１５とのうちの一方に凸部、他方に凹部を設け、凸部と凹部との嵌め合せを利用して、ブラケット１７はハウジング１５に固定されてよい。凸部と凹部は、例えば圧入や接着によって固定されてよい。
【００４１】
図７は、モータ１１の取付構造を説明するための断面図である。図７は、図４に示す断面図のうち、モータ１１の周辺を拡大して示した図である。図７に示すように、モータ１１は、上部において上側に延びる第１の凸部１１１を有する。本実施形態では、第１の凸部１１１は円柱状である。第１の凸部１１１の内側には、例えばベアリングが配置される。
【００４２】
第１の凸部１１１は、第１の弾性部１９を介して、第１の孔部１５１１ａに取り付けられている。本実施形態では、第１の弾性部１９は円環状のゴム部材であり、第１の凸部１１１の外周に嵌められている。第１の弾性部１９が嵌められた第１の凸部１１１が、第１の孔部１５１１ａに挿入されている。詳細には、第１の弾性部１９は、突出部１５１１ｂにも挿入されている。突出部１５１１ｂが設けられることによって、第１の弾性部１９の厚みを増すことができ、第１の弾性部１９の強度を増すことができる。
【００４３】
第１の凸部１１１の外周面と、第１の弾性部１９の内周面とは隙間なく接触していることが好ましい。また、第１の弾性部１９の外周面と、第１の孔部１５１１ａの内周面とは隙間なく接触していることが好ましい。これによって、モータ１１の径方向の位置決めを適切に行うことができる。
【００４４】
本構成によれば、モータ１１の駆動によって生じる振動がハウジング１５に伝達されることを、第１の弾性部１９によって抑制することができる。また、モータ１１の振動がハウジング１５を介して静翼１６に伝達されることを抑制できる。図７に示すように、第１
の弾性部１９は、外周面の下方に、径方向に突出する第１の鍔部１９０を有することが好ましい。第１の鍔部１９０は、第１の孔部１５１１ａには挿入されず、モータ１１と天面部１５１１との間に介在することが好ましい。これにより、モータ１１の駆動によって生じる振動がハウジング１５に伝達されることを、より確実に抑制することができる。
【００４５】
なお、本実施形態では、第１の凸部１１１に第１の弾性部１９が取り付けられる構成となっているが、これに限定されない。例えば、第１の弾性部１９は、第１の孔部１５１１ａに取り付けられる構成であってよい。すなわち、第１の弾性部１９が取り付けられた第１の孔部１５１１ａに、第１の凸部１１１が挿入される構成としてもよい。
【００４６】
第１の弾性部１９の周囲又は一部には、第１の逃げ部２０が設けられる。第１の逃げ部２０は、第１の弾性部１９の一部が露出する第１の露出部２００を含む。本実施形態では、第１の逃げ部２０は、第１の弾性部１９の周囲に設けられる。ただし、これは例示であり、第１の逃げ部２０は、例えば第１の弾性部１９の一部を切り欠いて設けてもよい。第１の逃げ部２０によって、第１の弾性部１９は第１の逃げ部２０が存在する方向に変形することを許容される。換言すると、第１の弾性部１９が硬直することを避けることができる。このために、第１の弾性部１９の弾性力を確保して、モータ１１の振動を第１の弾性部１９で適切に吸収することができる。
【００４７】
本実施形態では、第１の露出部２００は、第１の弾性部１９の上面が露出する部分である。第１の露出部２００は、突出部１５１１ｂの上面開口によって形成される。第１の逃げ部２０は、第１の弾性部１９の上面に面する空間である。本構成によれば、ハウジング１５が第１の弾性部１９の上に位置しない構成にすることができる。このために、モータユニット１の軸方向の長さを小さくすることができる。
【００４８】
なお、第１の露出部２００は、本実施形態の構成に限定されず、例えば第１の弾性部１９の側面を露出する部分であってもよい。この場合には、第１の逃げ部２０は、第１の弾性部１９の側面に面する空間であってよい。
【００４９】
図７に示すように、モータ１１は、下部において下側に延びる第２の凸部１１２を有する。本実施形態では、第２の凸部１１２は円柱状である。第２の凸部１１２の内側には、例えばベアリングが配置される。第２の凸部１１２は、第２の弾性部２１を介して、第２の孔部１７０又は凹部に取り付けられている。本実施形態では、第２の凸部１１２は第２の孔部１７０に取り付けられている。
【００５０】
本実施形態では、第２の弾性部２１は円環状のゴム部材であり、第２の凸部１１２の外周に嵌められている。第２の弾性部２１が嵌められた第２の凸部１１２が、第２の孔部１７０に挿入されている。第２の凸部１１２の外周面と、第２の弾性部２１の内周面とは隙間なく接触していることが好ましい。また、第２の弾性部２１の外周面と、第２の孔部１７０の内周面とは隙間なく接触していることが好ましい。これによって、モータ１１の径方向の位置決めを適切に行うことができる。
【００５１】
本構成によれば、モータ１１の駆動によって生じる振動がブラケット１７に伝達されることを、第２の弾性部２１によって抑制することができる。また、モータ１１の振動がブラケット１７を介して静翼１６に伝達されることを抑制できる。図７に示すように、第２の弾性部２１は、外周面の上方に、径方向に突出する第２の鍔部２１０を有することが好ましい。第２の鍔部２１０は、第２の孔部１７０には挿入されず、モータ１１とブラケット１７との間に介在することが好ましい。これにより、モータ１１の駆動によって生じる振動がブラケット１７に伝達されることを、より確実に抑制することができる。
【００５２】
なお、ブラケット１７が第２の孔部１７０の代わりに凹部を有する場合には、第２の弾性部２１は、第２の凸部１１２の外面と、凹部の内面との間に介在する。また、本実施形態では、第２の凸部１１２に第２の弾性部２１が取り付けられる構成となっているが、これに限定されない。例えば、第２の弾性部２１は、第２の孔部１７０に取り付けられる構成であってよい。すなわち、第２の弾性部２１が取り付けられた第２の孔部１７０に、第２の凸部１１２が挿入される構成としてもよい。
【００５３】
第２の弾性部２１の周囲又は一部には、第２の逃げ部２２が設けられる。第２の逃げ部２２は、第２の弾性部２１の一部が露出する第２の露出部２２０を含む。本実施形態では、第２の逃げ部２２は、第２の弾性部２１の周囲に設けられる。ただし、これは例示であり、第２の逃げ部２２は、例えば、第２の弾性部２１の一部を切り欠いて設けてもよい。第２の逃げ部２２によって、第２の弾性部２１は第２の逃げ部２２が存在する方向に変形することを許容される。換言すると、第２の弾性部２１が硬直することを避けることができる。このために、第２の弾性部２１の弾性力を確保して、モータ１１の振動を第２の弾性部２１で適切に吸収することができる。
【００５４】
本実施形態では、第２の露出部２２０は、第２の弾性部２１の下面が露出する部分である。第２の露出部２２０は、第２の孔部１７０によって形成される。第２の逃げ部２２は、第２の弾性部２１の下面に面する空間である。本構成によれば、ブラケット１７が第２の弾性部２１の下に位置しない構成にすることができる。このために、モータユニット１の軸方向の長さを小さくすることができる。
【００５５】
なお、第２の露出部２２０は、本実施形態の構成に限定されず、例えば第２の弾性部２１の側面を露出する部分であってもよい。この場合には、第２の逃げ部２２は、第２の弾性部２１の側面に面する空間であってよい。
【００５６】
図８は、モータ１１と、ハウジング１５及び静翼１６を含むケーシング１０との関係を説明するための平面図である。図８に示すように、モータ１１は導線１１３を有する。導線１１３は、例えばモータ１１に電力を供給する。導線１１３は、詳細には、例えば銅などの金属線のまわりに樹脂が被覆された構成である。図８では、導線１１３は１本しか示されていないが、本実施形態のモータ１１は複数の導線１１３を有する。
【００５７】
モータ１１は、導線１１３を通すブッシング１１４を有する。ブッシング１１４は、例えば熱可塑性樹脂等によって構成される。本実施形態では、ブッシング１１４は、複数の導線１１３を結束する。ブッシング１１４は、モータ１１の側面に配置される。ブッシング１１４は、その一部がモータ１１の外周面から径方向に突出する。
【００５８】
図８に示すように、ブッシング１１４は、モータ１１の外周と開口部１５１０ａとが対向する位置に配置されている。本実施形態では、ブッシング１１４は、径方向からの平面視において、その全体が開口部１５１０ａと重なる。本構成によれば、開口部１５１０ａによってブッシング１１４が支持部１５１に接触することを避けることができ、支持部１５１の直径を小さくすることができる。支持部１５１の直径を小さくすることによって、例えば、軸流ファン１２のファンボス１２０（図１０参照）の直径を小さくして羽根１２１（図１０参照）を大きくすることができ、モータユニット１の風量の向上を図ることができる。また、支持部１５１の直径を小さくすることによってモータユニット１を小型化することもできる。また、本構成によれば、ブッシング１１４から引き出される導線１１３を、開口部１５１０ａを介してハウジング１５の外に簡単に引き出すことができる。
【００５９】
図８に示すように、環状部１５０は、内周面に径方向に凹む切り欠き部１５０１を有する。本実施形態では、切り欠き部１５０１の一部は、軸方向からの平面視において円弧状
である。切り欠き部１５０１は軸方向に延びる。ブッシング１１４は、軸方向からの平面視において、切り欠き部１５０１に対向する位置に配置されている。詳細には、ブッシング１１４は、径方向からの平面視において、切り欠き部１５０１と径方向に対向する。本実施形態では、図７に示すように、ブッシング１１４は、環状部１５０より上側に位置する。本構成によれば、切り欠き部１５０１によって、ブッシング１１４が環状部１５０と接触することを避けて、ハウジング１５の下側からモータ１１をハウジング１５内に挿入することができる。このために、切り欠き部１５０１が設けられない場合に比べて、環状部１５０の直径を小さくすることができる。
【００６０】
図８に示すように、ブッシング１１４から引き出された導線１１３は、軸方向からの平面視において、静翼１６と重なる位置に配置される。これにより、軸流ファン１２の回転によって生じる風の流れが導線１１３によって邪魔される可能性を低減することができる。
【００６１】
図９は、導線１１３と静翼１６との関係を説明するための模式図である。図９において、導線１１３と静翼１６とは断面図で示される。図９に示すように、静翼１６は、上下方向に窪む溝部１６ａを有する。溝部１６ａは、静翼１６が延びる方向に沿って延びる。溝部１６ａは、静翼１６の一端から他端まで延びてもよいが、一端から他端までの範囲の一部に設けられてもよい。導線１１３は溝部１６ａに配線される。導線１１３の少なくとも一部は、溝部１６ａに埋め込むことができる。このために、溝部１６ａによって導線１１３を固定することができる。また、溝部１６ａに導線１１３が埋め込まれることによって、導線１１３が空間を占める実質的な体積を減らすことができるために、風の流れが導線１１３によって邪魔される可能性を低減することができる。
【００６２】
溝部１６ａの、当該溝部１６ａが延びる方向と直交する方向の幅Ｗ１は、導線１１３の直径Ｒ１よりも若干小さいことが好ましい。これによれば、溝部１６ａに導線１１３を嵌め込むことによって導線１１３が変形し、静翼１６が導線１１３を保持することができる。溝部１６ａは、導線１１３を半分以上埋める深さであってよい。これにより、導線１１３が空間を占める実質的な体積を小さくすることができる。なお、溝部１６ａは、本例のように１本の導線１１３に対して１つ設けられてもよいが、複数の導線１１３に対して１つ設けられてもよい。なお、導線１１３は、溝部１６ａに配線されることなく、静翼１６の表面に固定されてもよい。この場合、導線１１３は、例えば接着剤によって静翼１６に貼り付けられてもよい。
【００６３】
図１０は、軸流ファン１２の構成を示す斜視図である。図１０に示すように、軸流ファン１２は、ファンボス１２０と羽根１２１とを有する。ファンボス１２０は有底筒状である。本実施形態においては、ファンボス１２０は、筒の底を形成する側が上とされ、取付部１３を介してシャフト１１０に取り付けられる。詳細には、ファンボス１２０は、ハウジング１５より上側でシャフト１１０に取り付けられる。本実施形態では、ファンボス１２０は、第２取付部材１３２にネジ止めされる。図４に示すように、ファンボス１２０は、モータ１１及びハウジング１５の上部を囲む。ファンボス１２０の直径は、環状部１５０の直径以上であることが好ましい。これによれば、軸流ファン１２の回転によって生じる風の流れが環状部１５０によって邪魔されることを抑制して効率良く風を送ることができる。
【００６４】
ファンボス１２０の上面中央部には、上下に貫通する取付孔１２０ａが設けられる。本実施形態では、取付孔１２０ａは円形状であり、取付孔１２０ａの中心とファンボス１２０の中心とは一致する。本実施形態では、図１に示すように、取付孔１２０ａには、シャフト１１０が通される。また、取付孔１２０ａには、取付部１３が取り付けられる。その他、ファンボス１２０の上面には、ネジ止め用の孔や、共振音の発生を防止するための孔
が設けられてよい。
【００６５】
図１１は、ファンボス１２０とブッシング１１４との関係を示す模式図である。図１１に示すように、ブッシング１１４は、ファンボス１２０の下端１２０ｂより下側に設けられていることが好ましい。これにより、ブッシング１１４から引き出される導線１１３が、ファンボス１２０に干渉することを防止することができる。このために、配線処理を容易に行うことができる。
【００６６】
羽根１２１は、ファンボス１２０から径方向成分を含む方向に延びる。詳細には、羽根１２１は、ファンボス１２０の外周面から延びる。羽根１２１は、径方向に真っ直ぐ延びるのではなく、径方向に対して斜めに延びる。羽根１２１は複数である。複数の羽根１２１は、同一の形状であり、周方向に等間隔に並ぶ。羽根１２１は、軸流ファン１２の回転によって、モータユニット１の上側から下側に向けて風の流れが生じる向きに配置されている。
【００６７】
本実施形態において、羽根１２１の数は７つである。羽根１２１の数は、これに限定されず、適宜変更してよい。なお、静翼１６の数と羽根１２１の数とは互いに素であることが好ましい。これによれば、モータ１１の駆動によって羽根１２１が回転した場合に、羽根１２１と静翼１６とが共振を起す可能性を低減することができる。
【００６８】
＜３．留意点＞
以上に示した実施形態や適宜説明した変形例の構成は、本発明の例示にすぎない。実施形態や変形例の構成は、本発明の技術的思想を超えない範囲で適宜変更されてもよい。また、以上に示した実施形態及び複数の変形例は、可能な範囲で組み合わせて実施されてよい。
【００６９】
例えば、以上に示した実施形態では、モータ１１は、ブラケット１７を用いてハウジング１５に固定される構成とした。これは例示である。モータ１１は、ブラケット１７を用いることなくハウジング１５に固定されてよい。図１２は、本発明の実施形態に係るモータユニット１の変形例を説明するための模式図である。
【００７０】
変形例のモータ１１は外周面から突出するフランジ部１１５を有する。詳細には、フランジ部１１５は径方向に突出する。フランジ部１１５はモータ１１の一部であり、モータ１１を構成する一部の部材と単一の部材にできる。フランジ部１１５は、ハウジング１５に固定されている。図１２に示す例では、フランジ部１１５とハウジング１５とは、ネジ２３によって固定されている。本構成では、モータ１１は、ブラケット１７無しで、ハウジング１５に固定することができるために、モータユニット１の部品点数を減らすことができる。
【００７１】
図１２に示す例では、詳細には、フランジ部１１５には、上下方向に延びてネジ２３を通す貫通孔１１５１が設けられる。ハウジング１５は、環状部１５０と支持部１５１とを連結する平板部１５２を有する。平板部１５２は、環状部１５０の内周上部から径方向内側に突出する突出部であってよい。平板部１５２には、上下方向に延びるネジ孔１５３が設けられる。フランジ部１１５とハウジング部１５との間に、第３の弾性部２４が配置されている。第３の弾性部２４は、例えば円環状のゴム部材であってよい。フランジ部１１５とハウジング１５とをネジ２３で固定した場合に、両者の間には第３の弾性部２４が介在する。第３の弾性部２４はモータ１１の振動を吸収する。このために、モータ１１の振動がハウジング１５を介して静翼１６に伝達されることを防止することができる。
【産業上の利用可能性】
【００７２】
本発明は、例えば家電、ＯＡ機器、車載機器等、軸流ファンを回転させるモータを有する様々な機器に利用することができる。
【符号の説明】
【００７３】
１・・・モータユニット
１１・・・モータ
１２・・・軸流ファン
１５・・・ハウジング
１６・・・静翼
１６ａ・・・溝部
１７・・・ブラケット
１９・・・第１の弾性部
２０・・・第１の逃げ部
２１・・・第２の弾性部
２２・・・第２の逃げ部
２４・・・第３の弾性部
１１０・・・シャフト
１１１・・・第１の凸部
１１２・・・第２の凸部
１１３・・・導線
１１４・・・ブッシング
１１５・・・フランジ部
１２０・・・ファンボス
１２１・・・羽根
１５０・・・環状部
１５１・・・支持部
１７０・・・第２の孔部
２００・・・第１の露出部
２２０・・・第２の露出部
１５０１・・・切り欠き部
１５１０・・・筒状部
１５１０ａ・・・開口部
１５１０ｂ・・・壁部
１５１１・・・天面部
１５１１ａ・・・第１の孔部
Ｃ・・・中心軸
【図１】
2018137934.tif 000003
【図２】
2018137934.tif 000004
【図３】
2018137934.tif 000005
【図４】
2018137934.tif 000006
【図５】
2018137934.tif 000007
【図６】
2018137934.tif 000008
【図７】
2018137934.tif 000009
【図８】
2018137934.tif 000010
【図９】
2018137934.tif 000011
【図１０】
2018137934.tif 000012
【図１１】
2018137934.tif 000013
【図１２】
2018137934.tif 000014